(57)【要約】【課題】サムネイルを画面に表示する時間を短縮する。【解決手段】画像ファイルを格納部に格納する格納手順と、画像ファイルのサムネイルを生成するサムネイル生成手順と、サムネイルを表示するか否かの表示設定を記憶する表示設定手順と、フォルダ名の選択を受け付ける選択表示手順とを備え、選択表示手順は、サムネイルを表示しない旨の表示設定の場合に、フォルダ名の選択を受け付けたときは、画像ファイルのファイル名を表示し、サムネイルを表示する旨の表示設定の場合に、フォルダ名の選択を受け付けたときは、当該画像ファイルのサムネイルを表示し、サムネイル生成手順は、サムネイルを表示しない旨の表示設定の場合に、フォルダ名の選択が受け付けられたときは、画像ファイルのサムネイルを生成し当該画像ファイルに対応付けて格納する。【選択図】図２
2008233194.tif 000002
【特許請求の範囲】
【請求項１】
ファイルを格納するフォルダに対応付けて画像ファイルを格納部に格納する格納手順と、
画像ファイルのサムネイルを生成するサムネイル生成手順と、
サムネイルを表示画面の一覧領域に表示するか否かの表示設定をユーザから受け付けて記憶する表示設定手順と、
前記格納部に格納された画像ファイルに対応付けられたフォルダのフォルダ名を表示画面の選択受付領域に表示するとともに、前記選択受付領域に表示されたフォルダ名のフォルダの選択を受け付ける選択表示手順と
を備える情報処理方法であって、
前記選択表示手順は、
サムネイルを前記一覧領域に表示しない旨の表示設定が記憶されている場合に、フォルダの選択を受け付けたときは、前記フォルダに対応付けて前記格納部に格納された画像ファイルのファイル名を前記一覧領域に一覧表示し、
サムネイルを前記一覧領域に表示する旨の表示設定が記憶されている場合に、フォルダの選択を受け付けたときは、前記フォルダに対応付けて前記格納部に格納された画像ファイルのファイル名に対応付けて、前記サムネイル生成手順により生成された当該画像ファイルのサムネイルを前記一覧領域に一覧表示し、
前記サムネイル生成手順は、サムネイルを前記一覧領域に表示しない旨の表示設定が記憶されている場合に、前記選択表示手順によりフォルダの選択が受け付けられたときは、前記フォルダに対応付けて前記格納部に格納された画像ファイルのサムネイルを生成するとともに、生成したサムネイルを前記画像ファイルに対応付けて前記格納部に格納する情報処理方法。
【請求項２】
前記サムネイル生成手順は、前記画像ファイルに対応付けて前記格納部に前記画像ファイルのサムネイルが格納されているか否かを判断し、格納されていないと判断した場合に、前記画像ファイルのサムネイルを生成する生成する請求項１に記載の情報処理方法。
【請求項３】
前記情報処理方法は、画像ファイルを前記格納部の一のフォルダの配下に複写する旨の入力を受け付ける複写手順をさらに備え、
前記サムネイル生成手順は、前記複写手順が、画像ファイルを前記格納部の一のフォルダの配下に複写する旨の入力を受け付けたときは、前記画像ファイルのサムネイルを生成するとともに、生成したサムネイルを前記格納部の一のフォルダの配下に複写された画像ファイルに対応付けて格納する請求項１に記載の情報処理方法。
【請求項４】
前記サムネイル生成手順は、前記複写手順が、前記格納部の一のフォルダの配下に格納されている画像ファイルを前記格納部の他のフォルダの配下に複写する旨の入力を受け付けたときは、生成したサムネイルを、前記格納部の一のフォルダの配下に格納されている画像ファイル、および、前記格納部の他のフォルダの配下に複写された画像ファイルに対応付けて格納する請求項３に記載の情報処理方法。
【請求項５】
前記情報処理方法は、画像ファイルを前記格納部の一のフォルダの配下に移動する旨の入力を受け付ける移動手順をさらに備え、
前記サムネイル生成手順は、前記移動手順が、画像ファイルを前記格納部の一のフォルダの配下に移動する旨の入力を受け付けたときは、前記画像ファイルのサムネイルを生成するとともに、生成したサムネイルを前記格納部の一のフォルダの配下に移動された画像ファイルに対応付けて格納する請求項１に記載の情報処理方法。
【請求項６】
前記格納部に格納されている画像ファイルを削除する旨の入力を受け付けて、前記入力を受け付けた画像ファイルを削除するとともに、前記画像ファイルに対応付けて前記格納部に格納されたサムネイルを削除する削除手順をさらに備える請求項１に記載の情報処理方法。
【請求項７】
前記情報処理方法は、省電力モードの設定を要求する入力を受け付ける省電力受付手順をさらに備え、
前記サムネイル生成手順は、前記省電力受付手順により前記省電力モードの設定を要求する入力を受け付けているときは、前記サムネイルを生成しない請求項１に記載の情報処理方法。
【請求項８】
前記格納手順は、さらに、フォルダに対応付けて他のフォルダを前記格納部に格納し、
前記サムネイル生成手順は、サムネイルを前記一覧領域に表示しない旨の表示設定が記憶されている場合に、前記選択表示手順によりフォルダの選択が受け付けられたときは、
前記フォルダに対応付けて前記格納部に格納された前記他のフォルダ名に対応付けて前記格納部に格納された画像ファイルのサムネイルを生成する請求項１に記載の情報処理方法。
【請求項９】
ファイルを格納する格納部を備える情報処理装置を制御するプログラムであって、前記情報処理装置に、
ファイルを格納するフォルダに対応付けて画像ファイルを格納部に格納する格納手順と、
画像ファイルのサムネイルを生成するサムネイル生成手順、
サムネイルを表示画面の一覧領域に表示するか否かの表示設定をユーザから受け付けて記憶する表示設定手順、および、
前記格納部に格納された画像ファイルに対応付けられたフォルダのフォルダ名を表示画面の選択受付領域に表示するとともに、前記選択受付領域に表示されたフォルダ名のフォルダの選択を受け付ける選択表示手順
を実行させ、
サムネイルを前記一覧領域に表示しない旨の表示設定が記憶されている場合に、フォルダの選択を受け付けたときは、前記フォルダに対応付けて前記格納部に格納された画像ファイルのファイル名を前記一覧領域に一覧表示し、
サムネイルを前記一覧領域に表示する旨の表示設定が記憶されている場合に、フォルダの選択を受け付けたときは、前記フォルダに対応付けて前記格納部に格納された画像ファイルのファイル名に対応付けて、前記サムネイル生成手順により生成された当該画像ファイルのサムネイルを前記一覧領域に一覧表示し、
前記サムネイル生成手順は、サムネイルを前記一覧領域に表示しない旨の表示設定が記憶されている場合に、前記選択表示手順によりフォルダの選択が受け付けられたときは、前記フォルダに対応付けて前記格納部に格納された画像ファイルのサムネイルを生成するとともに、生成したサムネイルを前記画像ファイルに対応付けて前記格納部に格納するプログラム。
【請求項１０】
ファイルを格納するフォルダに対応付けて画像ファイルする格納部と、
画像ファイルのサムネイルを生成するサムネイル生成部と、
サムネイルを表示画面の一覧領域に表示するか否かの表示設定をユーザから受け付けて記憶する表示設定部と、
前記格納部に格納された画像ファイルに対応付けられたフォルダのフォルダ名を表示画面の選択受付領域に表示するとともに、前記選択受付領域に表示されたフォルダ名のフォルダの選択を受け付ける選択表示部と
を備える情報処理装置であって、
前記選択表示部は、
サムネイルを前記一覧領域に表示しない旨の表示設定が記憶されている場合に、フォルダの選択を受け付けたときは、前記フォルダに対応付けて前記格納部に格納された画像ファイルのファイル名を前記一覧領域に一覧表示し、
サムネイルを前記一覧領域に表示する旨の表示設定が記憶されている場合に、フォルダの選択を受け付けたときは、前記フォルダに対応付けて前記格納部に格納された画像ファイルのファイル名に対応付けて、前記サムネイル生成部により生成された当該画像ファイルのサムネイルを前記一覧領域に一覧表示し、
前記サムネイル生成部は、サムネイルを前記一覧領域に表示しない旨の表示設定が記憶されている場合に、前記選択表示部によりフォルダの選択が受け付けられたときは、前記フォルダに対応付けて前記格納部に格納された画像ファイルのサムネイルを生成するとともに、生成したサムネイルを前記画像ファイルに対応付けて前記格納部に格納する情報処理装置。
【発明の詳細な説明】
【技術分野】
【０００１】
本発明は、情報処理方法、情報処理装置およびプログラムに関する。特に、本発明は、画像ファイルのサムネイルを生成する情報処理方法、情報処理装置およびプログラムに関する。
【背景技術】
【０００２】
画像を画面に表示する際、当該画像のサムネイルが記憶されている場合は、サムネイルから表示用の画像を作成することにより、画像を画面に表示する時間を短縮する画像データ表示装置が知られている（例えば、特許文献１参照。）。
【特許文献１】特開２００７−０１１１２９号公報
【発明の開示】
【発明が解決しようとする課題】
【０００３】
しかしながら、画面に表示する画像のサムネイルが記憶されていない場合には、サムネイルを表示する時間を短縮することができないという課題がある。特に、昨今、ひとつひとつの画像のファイルサイズが増大してきており、サムネイルを有しない画像が大量にあって、表示要求があったときにサムネイルを生成するのでは、表示に時間を要し、ユーザにとって不便であるという課題がある。
【課題を解決するための手段】
【０００４】
上記課題を解決するために、本発明の第１の形態においては、情報処理方法であって、ファイルを格納するフォルダに対応付けて画像ファイルを格納部に格納する格納手順と、画像ファイルのサムネイルを生成するサムネイル生成手順と、サムネイルを表示画面の一覧領域に表示するか否かの表示設定をユーザから受け付けて記憶する表示設定手順と、格納部に格納された画像ファイルに対応付けられたフォルダのフォルダ名を表示画面の選択受付領域に表示するとともに、選択受付領域に表示されたフォルダ名のフォルダの選択を受け付ける選択表示手順とを備える情報処理方法であって、選択表示手順は、サムネイルを一覧領域に表示しない旨の表示設定が記憶されている場合に、フォルダの選択を受け付けたときは、フォルダに対応付けて格納部に格納された画像ファイルのファイル名を一覧領域に一覧表示し、サムネイルを一覧領域に表示する旨の表示設定が記憶されている場合に、フォルダの選択を受け付けたときは、フォルダに対応付けて格納部に格納された画像ファイルのファイル名に対応付けて、サムネイル生成手順により生成された当該画像ファイルのサムネイルを一覧領域に一覧表示し、サムネイル生成手順は、サムネイルを一覧領域に表示しない旨の表示設定が記憶されている場合に、選択表示手順によりフォルダの選択が受け付けられたときは、フォルダに対応付けて格納部に格納された画像ファイルのサムネイルを生成するとともに、生成したサムネイルを画像ファイルに対応付けて格納部に格納する。これにより、サムネイルを表示する場合に、サムネイルを生成した後に表示するのではなく、既に生成され格納されているサムネイルを表示するので、サムネイルがディスプレイに表示されるまでの時間を短縮することができる。
【０００５】
サムネイル生成手順は、画像ファイルに対応付けて格納部に画像ファイルのサムネイルが格納されているか否かを判断し、格納されていないと判断した場合に、画像ファイルのサムネイルを生成する生成してもよい。これにより、同一の画像ファイルのサムネイルであって、ファイル名の異なる複数のサムネイルが生成されることを防止することができる。
【０００６】
情報処理方法は、画像ファイルを格納部の一のフォルダの配下に複写する旨の入力を受け付ける複写手順をさらに備え、サムネイル生成手順は、複写手順が、画像ファイルを格納部の一のフォルダの配下に複写する旨の入力を受け付けたときは、画像ファイルのサムネイルを生成するとともに、生成したサムネイルを格納部の一のフォルダの配下に複写された画像ファイルに対応付けて格納してもよい。これにより、画像ファイルが格納部内に複写されたときに、確実に、当該画像ファイルのサムネイルを生成することができる。
【０００７】
サムネイル生成手順は、複写手順が、格納部の一のフォルダの配下に格納されている画像ファイルを格納部の他のフォルダの配下に複写する旨の入力を受け付けたときは、生成したサムネイルを、格納部の一のフォルダの配下に格納されている画像ファイル、および、格納部の他のフォルダの配下に複写された画像ファイルに対応付けて格納してもよい。これにより、格納部内で画像ファイルが複写される場合に、複写元および複写元に、当該画像ファイルのサムネイルを生成することができる。
【０００８】
情報処理方法は、画像ファイルを格納部の一のフォルダの配下に移動する旨の入力を受け付ける移動手順をさらに備え、サムネイル生成手順は、移動手順が、画像ファイルを格納部の一のフォルダの配下に移動する旨の入力を受け付けたときは、画像ファイルのサムネイルを生成するとともに、生成したサムネイルを格納部の一のフォルダの配下に移動された画像ファイルに対応付けて格納してもよい。これにより、画像ファイルが格納部内に移動されたときに、確実に、当該画像ファイルのサムネイルを生成することができる。
【０００９】
格納部に格納されている画像ファイルを削除する旨の入力を受け付けて、入力を受け付けた画像ファイルを削除するとともに、画像ファイルに対応付けて格納部に格納されたサムネイルを削除する削除手順をさらに備えてもよい。これにより、表示されることのないサムネイルを削除することができる。
【００１０】
情報処理方法は、省電力モードの設定を要求する入力を受け付ける省電力受付手順をさらに備え、サムネイル生成手順は、省電力受付手順により省電力モードの設定を要求する入力を受け付けているときは、サムネイルを生成しなくてもよい。これにより、省電力に配慮しつつ、サムネイルを生成することができる。
【００１１】
格納手順は、さらに、フォルダに対応付けて他のフォルダを格納部に格納し、サムネイル生成手順は、サムネイルを一覧領域に表示しない旨の表示設定が記憶されている場合に、選択表示手順によりフォルダの選択が受け付けられたときは、フォルダに対応付けて格納部に格納された他のフォルダ名に対応付けて格納部に格納された画像ファイルのサムネイルを生成してもよい。これにより、当該フォルダの直下の画像ファイルのサムネイルに加えて、当該フォルダの２階層下の画像ファイルのサムネイルも生成することができる。
【００１２】
上記課題を解決するために、本発明の第２の形態においては、ファイルを格納する格納部を備える情報処理装置を制御するプログラムであって、情報処理装置に、ファイルを格納するフォルダに対応付けて画像ファイルを格納部に格納する格納手順と、画像ファイルのサムネイルを生成するサムネイル生成手順、サムネイルを表示画面の一覧領域に表示するか否かの表示設定をユーザから受け付けて記憶する表示設定手順、および、格納部に格納された画像ファイルに対応付けられたフォルダのフォルダ名を表示画面の選択受付領域に表示するとともに、選択受付領域に表示されたフォルダ名のフォルダの選択を受け付ける選択表示手順を実行させ、サムネイルを一覧領域に表示しない旨の表示設定が記憶されている場合に、フォルダの選択を受け付けたときは、フォルダに対応付けて格納部に格納された画像ファイルのファイル名を一覧領域に一覧表示し、サムネイルを一覧領域に表示する旨の表示設定が記憶されている場合に、フォルダの選択を受け付けたときは、フォルダに対応付けて格納部に格納された画像ファイルのファイル名に対応付けて、サムネイル生成手順により生成された当該画像ファイルのサムネイルを一覧領域に一覧表示し、サムネイル生成手順は、サムネイルを一覧領域に表示しない旨の表示設定が記憶されている場合に、選択表示手順によりフォルダの選択が受け付けられたときは、フォルダに対応付けて格納部に格納された画像ファイルのサムネイルを生成するとともに、生成したサムネイルを画像ファイルに対応付けて格納部に格納する。これにより、第１の形態と同一の効果を得ることができる。
【００１３】
上記課題を解決するために、本発明の第３の形態においては、情報処理装置であって、ファイルを格納するフォルダに対応付けて画像ファイルする格納部と、画像ファイルのサムネイルを生成するサムネイル生成部と、サムネイルを表示画面の一覧領域に表示するか否かの表示設定をユーザから受け付けて記憶する表示設定部と、格納部に格納された画像ファイルに対応付けられたフォルダのフォルダ名を表示画面の選択受付領域に表示するとともに、選択受付領域に表示されたフォルダ名のフォルダの選択を受け付ける選択表示部とを備え、選択表示部は、サムネイルを一覧領域に表示しない旨の表示設定が記憶されている場合に、フォルダの選択を受け付けたときは、フォルダに対応付けて格納部に格納された画像ファイルのファイル名を一覧領域に一覧表示し、サムネイルを一覧領域に表示する旨の表示設定が記憶されている場合に、フォルダの選択を受け付けたときは、フォルダに対応付けて格納部に格納された画像ファイルのファイル名に対応付けて、サムネイル生成部により生成された当該画像ファイルのサムネイルを一覧領域に一覧表示し、サムネイル生成部は、サムネイルを一覧領域に表示しない旨の表示設定が記憶されている場合に、選択表示部によりフォルダの選択が受け付けられたときは、フォルダに対応付けて格納部に格納された画像ファイルのサムネイルを生成するとともに、生成したサムネイルを画像ファイルに対応付けて格納部に格納する。これにより、第１の形態と同一の効果を得ることができる。
【００１４】
なお、上記の発明の概要は、本発明の必要な特徴の全てを列挙したものではなく、これらの特徴群のサブコンビネーションもまた、発明となりうる。
【発明を実施するための最良の形態】
【００１５】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００１６】
図１は、パーソナルコンピュータ１０の一例を示す。パーソナルコンピュータ１０は、情報処理装置の一例であって、本体１２と、当該本体１２からの出力に基づいてユーザに対して表示をするディスプレイ１４と、本体１２に対するユーザからの入力手段の一例としてのキーボード１６及びマウス１８と、外部記憶媒体３２を挿入または装着する外部記憶媒体挿入口２２と、外部記憶媒体７０を挿入または装着する外部記憶媒体挿入口２４とを備える。外部記憶媒体３２の一例は、ＵＳＢメモリである。外部記憶媒体７０の一例は、ＣＤ−ＲＯＭである。
【００１７】
図２は、パーソナルコンピュータ１０のブロック図の一例を示す。図３は、データ格納部２００に格納された情報の一例を模式的に示す。図４、図５は、パーソナルコンピュータ１０が表示するウィンドウ３００の一例を示す。パーソナルコンピュータ１０は、画像ファイルおよびプログラムファイルを格納する格納部を備える。具体的には、パーソナルコンピュータ１０は、図２に示すように、プログラムファイルを格納するプログラム格納部１００およびデータファイルを格納するデータ格納部２００を備える。プログラム格納部１００は、サムネイル生成部１１０、選択表示部１２０、複写部１３０、移動部１４０、削除部１５０、表示設定部１６０および省電力受付部１７０の手順を実行するプログラムを格納する。
【００１８】
データ格納部２００は、フォルダに対応付けてデータファイルを格納する。すなわちデータ格納部２００は、フォルダ内にデータファイルを格納する。データファイルの一例は、画像ファイル、テキストファイルである。また、画像ファイルの一例は、デジタルカメラにより撮像されたＪＰＥＧファイル、ＰＮＧファイルなどである。図３に示す例においてデータ格納部２００は、フォルダ「Ｆ１」に対応付けて画像ファイル「Ｇ１」、画像ファイル「Ｇ２」、画像ファイル「Ｇ３」およびテキストファイル「Ｔ１」を格納している。
【００１９】
またデータ格納部２００は、フォルダに対応付けて他のフォルダを格納する。図３に示す例においてデータ格納部２００は、フォルダ「Ｆ２」に対応付けてフォルダ「Ｆ３」を格納している。すなわちデータ格納部２００は、ツリー型の階層構造でデータファイルを格納する。さらにデータ格納部２００は、画像ファイルのサムネイルが生成された場合には、当該画像ファイルに対応付けてサムネイルを格納する。図３に示す例においてデータ格納部２００は、画像ファイル「Ｇ５」に対応付けてサムネイル「Ｓ５」を格納している。
【００２０】
なお、フォルダ「Ｆｎ（ｎ＝１、２・・・）」は、フォルダ名が「Ｆｎ」であるフォルダを示し、画像ファイル「Ｇｎ（ｎ＝１、２・・・）」は、ファイル名が「Ｇｎ」である画像ファイルを示し、テキストファイル「Ｔｎ（ｎ＝１、２・・・）」は、ファイル名が「Ｔｎ」であるテキストファイルを示し、サムネイル「Ｓｎ（ｎ＝１、２・・・）」は、サムネイルのファイル名が「Ｓｎ」であるサムネイルを示す。
【００２１】
サムネイル生成部１１０は、画像ファイルのサムネイルを生成する。例えば、サムネイル生成部１１０は、データ格納部２００に格納された画像ファイルのサムネイルを生成する。サムネイル生成部１１０は、画像ファイルのサムネイルを生成したときは、当該画像ファイルに対応付けて生成したサムネイルを格納する。
【００２２】
表示設定部１６０は、サムネイルを表示画面に表示するか否かの表示設定をユーザから受け付けて記憶する。例えば図４に示す例において表示設定部１６０は、ユーザにより表示設定領域３１０の設定項目「リスト」が選択された場合に、サムネイルを表示画面の一覧領域３３０に表示しない旨の表示設定を記憶する。また例えば図５に示す例において表示設定部１６０は、ユーザにより表示設定領域３１０の設定項目「サムネイル」が選択された場合に、サムネイルを表示画面の一覧領域３３０に表示する旨の表示設定を記憶する。
【００２３】
選択表示部１２０は、フォルダ名を表示画面に表示するとともに、表示画面にフォルダ名が表示されたフォルダの選択を受け付ける。図４、５に示す例において選択表示部１２０は、データ格納部２００に格納されたフォルダ「Ｆ１」のフォルダ名「Ｆ１」を表示画面の選択受付領域３２０に表示するとともに、表示されたフォルダ名「Ｆ１」がダブルクリックされた旨の入力を受け付けることにより、フォルダ「Ｆ１」の選択を受け付けている。なお、太枠のフォルダ名は、ダブルクリックされた旨の入力を受け付けたことを示す。また、選択表示部１２０は、図４、図５において、選択を受け付けたフォルダ名「Ｆ１」直下のフォルダ名「Ｆ２」、画像ファイル名「Ｇ１」「Ｇ２」「Ｇ３」、テキストファイル名「Ｔ１」に加えて、フォルダ名「Ｆ２」直下のフォルダ名「Ｆ３」、および、フォルダ名「Ｆ３」直下の画像ファイル名「Ｇ４」「Ｇ５」を選択受付領域３２０に表示しているが、フォルダ名「Ｆ２」の選択を受け付けたときにフォルダ名「Ｆ３」を選択受付領域３２０に表示し、フォルダ名「Ｆ３」の選択を受け付けたときに画像ファイル名「Ｇ４」「Ｇ５」を選択受付領域３２０に表示してもよい。また、選択表示部１２０は、外部記憶媒体３２に記憶されたフォルダのフォルダ名を選択受付領域３２０に表示してもよい。
【００２４】
選択表示部１２０は、表示設定部１６０によりサムネイルを一覧領域３３０に表示しない旨の表示設定が記憶されている場合に、データ格納部２００に格納されたフォルダの選択を受け付けたときは、当該フォルダに対応付けてデータ格納部２００に格納されたフォルダのフォルダ名およびデータファイルのファイル名を一覧領域３３０に一覧表示する。例えば、選択表示部１２０は、データ格納部２００に格納されたフォルダ「Ｆ１」の選択を受け付けたときは、図４に示すように、フォルダ名「Ｆ２」、画像ファイル名「Ｇ１」「Ｇ２」「Ｇ３」、テキストファイル名「Ｔ１」を一覧領域３３０に一覧表示している。
【００２５】
選択表示部１２０は、表示設定部１６０によりサムネイルを一覧領域３３０に表示する旨の表示設定が記憶されている場合に、データ格納部２００に格納されたフォルダの選択を受け付けたときは、当該フォルダに対応付けてデータ格納部２００に格納された画像ファイルのファイル名に対応付けて、サムネイル生成部１１０により生成された当該画像ファイルのサムネイルを一覧領域３３０に一覧表示する。例えば、選択表示部１２０は、図５に示すように、選択表示部１２０は、データ格納部２００に格納されたフォルダ「Ｆ１」の選択を受け付けたときは、画像ファイル名「Ｇ１」「Ｇ２」「Ｇ３」に対応付けて、サムネイル生成部１１０により生成された当該画像ファイルのサムネイル「Ｓ１」「Ｓ２」「Ｓ３」を一覧領域３３０に一覧表示している。なお、選択表示部１２０は、画像ファイルのサムネイル「Ｓ１」「Ｓ２」「Ｓ３」がデータ格納部２００に格納されていない場合、サムネイル生成部１１０がサムネイル「Ｓ１」「Ｓ２」「Ｓ３」を生成した後に、一覧領域３３０に一覧表示する。
【００２６】
サムネイル生成部１１０は、表示設定部１６０によりサムネイルを一覧領域３３０に表示しない旨の表示設定が記憶されている場合に、選択表示部１２０により、データ格納部２００に格納されたフォルダの選択が受け付けられたときは、当該フォルダに対応付けてデータ格納部２００に格納された画像ファイルのサムネイルを生成するとともに、生成したサムネイルを当該画像ファイルに対応付けて格納する。すなわちサムネイル生成部１１０は、当該フォルダの直下の画像ファイルのサムネイルを生成するとともに、生成したサムネイルを当該画像ファイルに対応付けて格納する。これにより、サムネイルを表示する場合に、サムネイル生成部１１０がサムネイルを生成した後に表示するのではなく、既にサムネイル生成部１１０により生成され格納されているサムネイルを表示するので、サムネイルが一覧領域３３０に一覧表示されるまでの時間を短縮することができる。
【００２７】
さらにサムネイル生成部１１０は、表示設定部１６０によりサムネイルを一覧領域３３０に表示しない旨の表示設定が記憶されている場合に、選択表示部１２０により、データ格納部２００に格納されたフォルダの選択が受け付けられたときは、当該フォルダに対応付けてデータ格納部２００に格納された他のフォルダに対応付けてデータ格納部２００に格納された画像ファイルのサムネイルを生成するとともに、生成したサムネイルを当該画像ファイルに対応付けて格納してもよい。すなわちサムネイル生成部１１０は、当該フォルダの２階層下の画像ファイルのサムネイルを生成するとともに、生成したサムネイルを当該画像ファイルに対応付けて格納してもよい。同様に、サムネイル生成部１１０は、当該フォルダの３階層以下の画像ファイルのサムネイルを生成してもよい。
【００２８】
複写部１３０は、データファイルまたはフォルダをデータ格納部２００の一のフォルダの配下に複写する旨の入力を受け付ける。例えば、複写部１３０は、選択受付領域３２０に表示された一のフォルダ名が他のフォルダ名の配下にドラッグアンドドロップされた旨の入力を受け付けた場合に、当該一のフォルダの配下のデータファイル等を他のフォルダの配下に複写する旨の入力を受け付ける。また例えば、複写部１３０は、選択受付領域３２０に表示された一のデータファイル名が他のフォルダ名の配下にドラッグアンドドロップされた旨の入力を受け付けた場合に、当該一のデータファイルを他のフォルダの配下に複写する旨の入力を受け付ける。
【００２９】
サムネイル生成部１１０は、複写部１３０が画像ファイルをデータ格納部２００の一のフォルダの配下に複写する旨の入力を受け付けたときは、当該画像ファイルのサムネイルを生成するとともに、生成したサムネイルをデータ格納部２００の一のフォルダの配下に複写された画像ファイル、すなわち複写先の画像ファイルに対応付けて格納する。例えば、サムネイル生成部１１０は、複写部１３０が外部記憶媒体３２に記憶されたフォルダの配下に格納されている画像ファイルをデータ格納部２００のフォルダの配下に複写する旨の入力を受け付けたときは、当該画像ファイルのサムネイルを生成するとともに、生成したサムネイルを、複写先であるデータ格納部２００のフォルダの配下に複写された画像ファイルに対応付けて格納する。これにより、画像ファイルが格納部２００に複写されたときに、確実に、当該画像ファイルのサムネイルを生成することができる。
【００３０】
また、サムネイル生成部１１０は、複写部１３０がデータ格納部２００の一のフォルダの配下に格納されている画像ファイルをデータ格納部２００の他のフォルダの配下に複写する旨の入力を受け付けたときは、生成したサムネイルを、データ格納部２００の当該一のフォルダの配下に格納されている画像ファイル、および、データ格納部２００の他のフォルダの配下に複写された画像ファイルに対応付けて格納してもよい。すなわちサムネイル生成部１１０は、生成したサムネイルを、複写先の画像ファイルに加え、複写元の画像ファイルに対応付けて格納してもよい。これにより、データ格納部２００内で画像ファイルが複写される場合に、複写元および複写元に、当該画像ファイルのサムネイルを生成することができる。
【００３１】
移動部１４０は、データファイルまたはフォルダをデータ格納部２００の一のフォルダの配下に移動する旨の入力を受け付ける。例えば、移動部１４０は、選択受付領域３２０に表示された一のフォルダ名が他のフォルダ名の配下にドラッグアンドドロップされた旨の入力を受け付けた場合に、当該一のフォルダの配下のデータファイル等を他のフォルダの配下に移動する旨の入力を受け付ける。また例えば、移動部１４０は、選択受付領域３２０に表示された一のデータファイル名が他のフォルダ名の配下にドラッグアンドドロップされた旨の入力を受け付けた場合に、当該一のファイルを他のフォルダの配下に移動する旨の入力を受け付ける。
【００３２】
サムネイル生成部１１０は、移動部１４０が、画像ファイルをデータ格納部２００の一のフォルダの配下に移動する旨の入力を受け付けたときは、前記画像ファイルのサムネイルを生成するとともに、生成したサムネイルを前記格納部の一のフォルダの配下に移動された画像ファイルに対応付けて格納する。これにより、画像ファイルがデータ格納部２００に移動されたときに、確実に、当該画像ファイルのサムネイルを生成することができる。
【００３３】
削除部１５０は、データファイルまたはフォルダを削除する旨の入力を受け付けて、入力を受け付けたデータファイル等を削除する。例えば、削除部１５０は、選択受付領域３２０に表示された一のフォルダ名がクリックにより指定され、削除する旨のキー押下を受け付けた場合に、当該一のフォルダの配下のデータファイル等を削除する旨の入力を受け付ける。また例えば、削除部１５０は、選択受付領域３２０に表示された一のデータファイル名がクリックにより指定され、削除する旨のキー押下を受け付けた場合に、当該一のデータファイルを削除する旨の入力を受け付ける。なお、削除部１５０は、画像ファイルを削除する場合には、当該画像ファイルに対応付けてデータ格納部２００に格納されたサムネイルを削除する。これにより、表示されることのないサムネイルを削除することができる。
【００３４】
省電力受付部１７０は、非図示の省電力受付領域を介してユーザから、省電力モードの設定を要求する入力を受け付ける。省電力受付部１７０は、省電力モードの設定の有無を示す設定情報を記憶する。
【００３５】
サムネイル生成部１１０は、省電力受付部１７０により省電力モードの設定を要求する入力を受け付けているときは、サムネイルを生成しないことが好ましい。これにより、省電力に配慮しつつ、サムネイルを生成することができる。また、サムネイル生成部１１０は、画像ファイルに対応付けてデータ格納部２００に当該画像ファイルのサムネイルが格納されているか否かを判断し、格納されていないと判断した場合に、当該画像ファイルのサムネイルを生成することが好ましい。これにより、同一の画像ファイルのサムネイルであって、ファイル名の異なる複数のサムネイルが生成されることを防止することができる。
【００３６】
外部記憶媒体３２は、データ格納部２００に格納するデータファイルを記憶する。外部記憶媒体７０は、サムネイル生成部１１０、選択表示部１２０、複写部１３０、移動部１４０、削除部１５０、表示設定部１６０および省電力受付部１７０の手順を実行するプログラムを格納し、必要に応じてプログラム格納部１００にインストールする。
【００３７】
図６は、パーソナルコンピュータ１０の動作の一例を示すフローチャートである。図７は、データ格納部２００に格納された情報の一例を模式的に示す。図６に示すフローチャートは、表示画面にウィンドウ３００が表示されることにより開始する。なお、図６に示すフローチャートに開始時において、選択表示部１２０は、データ格納部２００に格納されたフォルダ名等を選択受付領域３２０に表示しているものとする。
【００３８】
選択表示部１２０は、選択受付領域３２０に表示されたフォルダ名がダブルクリックされた旨の入力を受け付けたか否かを判断する（Ｓ１００）、ステップＳ１００において選択表示部１２０は、選択受付領域３２０に表示されたフォルダ名がダブルクリックされた旨の入力を受け付けたと判断した場合には（Ｓ１００：Ｙｅｓ）、当該フォルダを特定する情報をサムネイル生成部１１０に通知する。サムネイル生成部１１０は、サムネイルを一覧領域３３０に表示しない旨の表示設定が記憶されているか否かを判断する（Ｓ１１０）。ステップＳ１１０においてサムネイル生成部１１０は、サムネイルを一覧領域３３０に表示する旨の表示設定が記憶されていないと判断した場合（Ｓ１１０：Ｎｏ）、その旨を選択表示部１２０に通知し、選択表示部１２０は、例えば図４に示すように、当該フォルダに対応付けてデータ格納部２００に格納された画像ファイルのファイル名等を一覧領域３３０に一覧表示する（Ｓ１２０）。またステップＳ１１０に続いてサムネイル生成部１１０は、省電力モードに設定されているか否かを判断する（Ｓ１３０）。ステップＳ１３０においてサムネイル生成部１１０は、省電力モードに設定されていないと判断した場合には（Ｓ１３０：Ｎｏ）、サムネイル生成処理を実行する（Ｓ４００）。なおステップＳ４００のサムネイル生成処理は、図８において説明する。非図示の終了受付部は、終了ボタン６００が押下されたか否かを判断する（Ｓ１５０）。ステップＳ１５０において終了受付部は、終了ボタン６００が押下されたと判断した場合には（Ｓ１５０：Ｙｅｓ）、本フローチャートは終了する。一方、ステップＳ１５０において終了受付部は、終了ボタン６００が押下されていないと判断した場合には（Ｓ１５０：Ｎｏ）、ステップＳ１００に戻る。
【００３９】
一方、ステップＳ１３０においてサムネイル生成部１１０は、省電力モードに設定されていると判断した場合には（Ｓ１３０：Ｙｅｓ）、ステップＳ４００を飛ばしてステップＳ１５０に進む。
【００４０】
一方、ステップＳ１１０においてサムネイル生成部１１０は、サムネイルを一覧領域３３０に表示する旨の表示設定が記憶されていると判断した場合（Ｓ１１０：Ｙｅｓ）、その旨を選択表示部１２０に通知し、選択表示部１２０は、例えば図５に示すように、サムネイル生成部１１０により生成された当該画像ファイルのサムネイルを一覧領域３３０に一覧表示する（Ｓ１４０）。そして上記ステップＳ１５０に進む。なお、ステップＳ１４０において選択表示部１２０は、当該画像ファイルのサムネイルがデータ格納部２００に格納されていない場合には、サムネイル生成部１１０が当該サムネイルを生成した後に一覧領域３３０に一覧表示する。
【００４１】
一方、ステップＳ１００において選択表示部１２０は、選択受付領域３２０に表示されたフォルダ名がダブルクリックされた旨の入力を受け付けていない判断した場合には（Ｓ１００：Ｎｏ）、複写部１３０または移動部１４０は、複写対象または移動対象となるフォルダ等が、一のフォルダ名の配下から他のフォルダ名の配下にドラッグアンドドロップされた旨の入力を受け付けたか否かを判断する（Ｓ２００）。ステップＳ２００において複写部１３０等は、複写対象等となるフォルダ等が、一のフォルダ名の配下から他のフォルダ名の配下にドラッグアンドドロップされた旨の入力を受け付けたと判断した場合には（Ｓ２００：Ｙｅｓ）、複写対象等となるフォルダ等を特定する情報、複写元または移動元である当該一のフォルダを特定する情報、および、複写先または移動先である当該他のフォルダを特定する情報をサムネイル生成部１１０に通知する。サムネイル生成部１１０は、省電力モードに設定されているか否かを判断する（Ｓ２３０）。ステップＳ２３０においてサムネイル生成部１１０は、省電力モードに設定されていないと判断した場合には（Ｓ２３０：Ｎｏ）、サムネイル生成処理を実行する（Ｓ５００）。なおステップＳ５００のサムネイル生成処理は、図１１において説明する。ステップＳ５００に続いて複写部１３０等は、複写対象等となるフォルダ等を、一のフォルダ名の配下から他のフォルダ名の配下に複写または移動する（Ｓ２５０）。そして上記ステップＳ１５０に進む。なお、ステップＳ２５０において複写部１３０等は、複写元または移動元にサムネイルが格納されているときは、複写対象等となるフォルダ等に加えて、当該サムネイルも複写または移動する。一方、ステップＳ２３０においてサムネイル生成部１１０は、省電力モードに設定されていると判断した場合には（Ｓ２３０：Ｙｅｓ）、ステップＳ５００を飛ばしてステップＳ２５０に進む。
【００４２】
一方、ステップＳ２００において複写部１３０等は、複写対象等となるフォルダ等が、一のフォルダ名の配下から他のフォルダ名の配下にドラッグアンドドロップされた旨の入力を受け付けていないと判断した場合には（Ｓ２００：Ｎｏ）、削除部１５０は、フォルダ名等が指定され、削除する旨のキー押下を受け付けたか否かを判断する（Ｓ３００）。ステップＳ３００において削除部１５０は、フォルダ等を削除する旨の入力を受け付けたと判断した場合には（Ｓ３００：Ｙｅｓ）、当該フォルダ等を削除する（Ｓ３５０）。そして上記ステップＳ１５０に進む。なお、ステップＳ３５０において削除部１５０は、画像ファイルを削除する場合には、当該画像ファイルに対応付けてデータ格納部２００に格納されたサムネイルを削除する。例えば、図６に示すフローチャートの開始時において、図３に示す情報がデータ格納部２００に格納されている場合、削除部１５０が、フォルダ名「Ｆ３」が指定され、削除する旨のキー押下を受け付けたときは（ステップＳ３００：Ｙｅｓ）、削除部１５０がステップＳ３００を実行することにより、フォルダ「Ｆ３」、および、フォルダ「Ｆ３」配下の画像ファイル「Ｇ４」「Ｇ５」、サムネイル「Ｓ４」が削除される。
【００４３】
図８は、パーソナルコンピュータ１０の動作の一例を示すフローチャートである。図９、図１０は、データ格納部２００に格納された情報の一例を模式的に示す。図８に示すフローチャートは、図６に示すフローチャートにおいてサムネイル生成部１１０が実行するステップＳ４００の詳細である。
【００４４】
サムネイル生成部１１０は、ステップＳ１００において選択表示部１２０が入力を受け付けたフォルダの直下に画像ファイルがあるか否かを判断する（Ｓ４１０）。ステップＳ４１０においてサムネイル生成部１１０は、当該フォルダの直下に画像ファイルがあると判断した場合には（Ｓ４１０：Ｙｅｓ）、当該画像ファイルのサムネイルが格納されているか否かを判断する（Ｓ４２５）。ステップＳ４２５においてサムネイル生成部１１０は、当該画像ファイルのサムネイルが格納されていないと判断した場合には（Ｓ４２５：Ｎｏ）、当該画像ファイルのサムネイルを生成し、当該画像ファイルに対応付けて生成したサムネイルを格納する（Ｓ４３０）。例えば、図６に示すフローチャートの開始時において、図３に示す情報がデータ格納部２００に格納されている場合、つまりデータ格納部２００に画像ファイル「Ｇ１」「Ｇ２」「Ｇ３」のサムネイルが格納されていない場合に、選択表示部１２０が、フォルダ「Ｆ１」の入力を受け付けたときは（図６のステップＳ１００）、サムネイル生成部１１０がステップＳ４３０を実行することにより、図９に示す情報がデータ格納部２００に格納される。すなわち、データ格納部２００に画像ファイル「Ｇ１」「Ｇ２」「Ｇ３」のサムネイル「Ｓ１」「Ｓ２」「Ｓ３」が格納される。
【００４５】
一方、ステップＳ４１０においてサムネイル生成部１１０は、当該フォルダの直下に画像ファイルがないと判断した場合（Ｓ４１０：Ｎｏ）、ステップＳ４２５、Ｓ４３０を飛ばして下記ステップＳ４３５に進む。一方、ステップＳ４２５においてサムネイル生成部１１０は、当該画像ファイルのサムネイルが格納されていると判断した場合には（Ｓ４２５：Ｙｅｓ）、ステップＳ４３０を飛ばして下記ステップＳ４３５に進む。
【００４６】
サムネイル生成部１１０は、ステップＳ１００において選択表示部１２０が入力を受け付けたフォルダの直下に他のフォルダがあるか否かを判断する（Ｓ４３５）。ステップＳ４３５においてサムネイル生成部１１０は、当該フォルダの直下に他のフォルダがあると判断した場合（Ｓ４３５：Ｙｅｓ）、当該他のフォルダの直下に画像ファイルがあるか否かを判断する（Ｓ４４０）。ステップＳ４４０においてサムネイル生成部１１０は、当該他のフォルダの直下に画像ファイルがあると判断した場合には（Ｓ４４０：Ｙｅｓ）、当該画像ファイルのサムネイルが格納されているか否かを判断する（Ｓ４４５）。ステップＳ４４５においてサムネイル生成部１１０は、当該画像ファイルのサムネイルが格納されていないと判断した場合には（Ｓ４４５：Ｎｏ）、当該画像ファイルのサムネイルを生成し、当該画像ファイルに対応付けて生成したサムネイルを格納する（Ｓ４５０）。例えば、図６に示すフローチャートの開始時において、図３に示す情報がデータ格納部２００に格納されている場合、つまりデータ格納部２００に画像ファイル「Ｇ４」のサムネイルが格納されていない場合に、選択表示部１２０が、フォルダ「Ｆ２」の入力を受け付けたときは（図６のステップＳ１００）、サムネイル生成部１１０がステップＳ４５０を実行することにより、図１０に示す情報がデータ格納部２００に格納される。すなわち、データ格納部２００に画像ファイル「Ｇ４」のサムネイル「Ｓ４」が格納される。
【００４７】
一方、ステップＳ４３５においてサムネイル生成部１１０は、当該フォルダの直下に他のフォルダがないと判断した場合（Ｓ４３５：Ｎｏ）、ステップＳ４４０、Ｓ４４５、Ｓ４５０を飛ばして本フローチャートを終了する。一方、ステップＳ４４０においてサムネイル生成部１１０は、当該他のフォルダの直下に画像ファイルがないと判断した場合には（Ｓ４４０：Ｎｏ）、ステップＳ４４５、Ｓ４５０を飛ばして本フローチャートを終了する。一方、ステップＳ４４５においてサムネイル生成部１１０は、当該画像ファイルのサムネイルが格納されていると判断した場合には（Ｓ４４５：Ｙｅｓ）、ステップＳ４５０を飛ばして本フローチャートを終了する。
【００４８】
図１１は、パーソナルコンピュータ１０の動作の一例を示すフローチャートである。図１１に示すフローチャートは、図６に示すフローチャートにおいてサムネイル生成部１１０が実行するステップＳ５００の詳細である。
【００４９】
サムネイル生成部１１０は、図６に示すステップＳ２００において複写部１３０等が受け付けた複写対象等はフォルダであるか否かを判断する（Ｓ５０５）。ステップＳ５０５においてサムネイル生成部１１０は、複写対象等はフォルダであると判断した場合には（Ｓ５０５：Ｙｅｓ）、当該フォルダの直下に画像ファイルがあるか否かを判断する（Ｓ５１０）。ステップＳ５１０においてサムネイル生成部１１０は、当該フォルダの直下に画像ファイルがあると判断した場合には（Ｓ５１０：Ｙｅｓ）、当該画像ファイルのサムネイルが格納されているか否かを判断する（Ｓ５２５）。ステップＳ５２５においてサムネイル生成部１１０は、当該画像ファイルのサムネイルが格納されていないと判断した場合には（Ｓ５２５：Ｎｏ）、当該画像ファイルのサムネイルを生成し、当該画像ファイルに対応付けて生成したサムネイルを格納する（Ｓ５３０）。例えば、図６に示すフローチャートの開始時において、図３に示す情報がデータ格納部２００に格納されている場合、つまりデータ格納部２００に画像ファイル「Ｇ４」のサムネイルが格納されていない場合に、選択表示部１２０が、複写対象としてフォルダ「Ｆ３」を受け付けたときは（図６のステップＳ１００）、サムネイル生成部１１０がステップＳ５３０を実行することにより、図１０に示す情報がデータ格納部２００に格納される。すなわち、画像ファイル「Ｇ４」のサムネイル「Ｓ４」が複写元に格納される。なお、上述した通り、図６に示すステップＳ２５０において複写部１３０は、フォルダ「Ｆ３」配下の画像ファイル「Ｇ４」「Ｇ５」およびサムネイル「Ｓ３」に加えて、ステップＳ５３０において生成されたサムネイル「Ｓ４」を複写先に複写する。
【００５０】
一方、ステップＳ５１０においてサムネイル生成部１１０は、当該フォルダの直下に画像ファイルがないと判断した場合（Ｓ５１０：Ｎｏ）、ステップＳ５２５、Ｓ５３０を飛ばして下記ステップＳ５３５に進む。一方、ステップＳ５２５においてサムネイル生成部１１０は、当該画像ファイルのサムネイルが格納されていると判断した場合には（Ｓ５２５：Ｙｅｓ）、ステップＳ５３０を飛ばして下記ステップＳ５３５に進む。
【００５１】
ここでステップＳ５３５、Ｓ５４０、Ｓ５４５、Ｓ５５０は、図７に示すステップＳ４３５、Ｓ４４０、Ｓ４４５、Ｓ４５０と同様なので説明を省略する。
【００５２】
一方、ステップＳ５０５においてサムネイル生成部１１０は、複写対象等はフォルダでないと判断した場合に（Ｓ５０５：Ｎｏ）、図６に示すステップＳ２００において複写部１３０等が受け付けた複写対象等は画像ファイルであるか否かを判断する（Ｓ５５５）。ステップＳ５５５においてサムネイル生成部１１０は、複写対象等は画像ファイルであると判断した場合（Ｓ５５５：Ｙｅｓ）、当該画像ファイルのサムネイルが格納されているか否かを判断する（Ｓ５６０）。ステップＳ５２５においてサムネイル生成部１１０は、当該画像ファイルのサムネイルが格納されていないと判断した場合には（Ｓ５６０：Ｎｏ）、当該画像ファイルのサムネイルを生成し、当該画像ファイルに対応付けて生成したサムネイルを格納する（Ｓ５６５）。
【００５３】
一方、ステップＳ５５５においてサムネイル生成部１１０は、複写対象等は画像ファイルでないと判断した場合（Ｓ５５５：Ｎｏ）、例えばテキストファイル名を受け付けたと判断した場合（Ｓ５５５：Ｎｏ）、ステップＳ５６０、Ｓ５６５を飛ばして本フローチャートは終了する。一方、ステップＳ５６０においてサムネイル生成部１１０は、当該フォルダ名の直下に画像ファイルがないと判断した場合（Ｓ５６０：Ｎｏ）、ステップＳ５６５を飛ばして本フローチャートは終了する。
【００５４】
以上、本実施例よれば、サムネイルを表示する場合に、サムネイルを生成した後に表示するのではなく、既に生成され格納されているサムネイルを表示するので、サムネイルがディスプレイに表示されるまでの時間を短縮することができる。
【００５５】
なお、削除部１５０は、ユーザからのサムネイルを削除する旨の指示を受け付けることにより、または、定期的に、過去所定の期間、一度も一覧領域３３０に表示されなかったサムネイルを削除してもよい。これにより、サムネイル生成部１１０が自動的に生成したサムネイルであって、一覧領域３３０に表示されることのないサムネイルを削除することができる。
【００５６】
さらに、パーソナルコンピュータ１０のプログラム格納部１００は、サムネイル生成部１１０、上記プログラムに加え、画像の画素値の変更および画像の縦横の画素数の変更など、画像ファイルに対して画像処理を施す非図示の画像処理部の手順を実行するプログラムを格納してもよい。サムネイル生成部１１０は、データ格納部２００に格納された画像ファイルが画像処理部により処理された場合に、処理後の画像ファイルのサムネイルを生成し、当該処理後の画像ファイルに対応付けて生成したサムネイルを格納してもよい。これにより、当該処理後の画像ファイルのサムネイルが一覧領域３３０に表示されるまでの時間を短縮することができる。
【００５７】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００５８】
【図１】パーソナルコンピュータ１０の一例を示す。
【図２】パーソナルコンピュータ１０のブロック図の一例を示す。
【図３】データ格納部２００に格納された情報の一例を模式的に示す。
【図４】パーソナルコンピュータ１０が表示するウィンドウ３００の一例を示す。
【図５】パーソナルコンピュータ１０が表示するウィンドウ３００の一例を示す。
【図６】パーソナルコンピュータ１０の動作の一例を示すフローチャートである。
【図７】データ格納部２００に格納された情報の一例を模式的に示す。
【図８】パーソナルコンピュータ１０の動作の一例を示すフローチャートである。
【図９】データ格納部２００に格納された情報の一例を模式的に示す。
【図１０】データ格納部２００に格納された情報の一例を模式的に示す。
【図１１】パーソナルコンピュータ１０の動作の一例を示すフローチャートである。
【符号の説明】
【００５９】
１０  パーソナルコンピュータ、１２  本体、１４  ディスプレイ、１６  キーボード、１８  マウス、２２  外部記憶媒体挿入口、２４  外部記憶媒体挿入口、３２  外部記憶媒体、７０  外部記憶媒体、１００  プログラム格納部、１１０  サムネイル生成部、１２０  選択表示部、１３０  複写部、１４０  移動部、１５０  削除部、１６０  表示設定部、１７０  省電力受付部、２００  データ格納部、３００  ウィンドウ、３１０  表示設定領域、３２０  選択受付領域、３３０  一覧領域、６００  終了ボタン
【図１】
2008233194.tif 000003
【図２】
2008233194.tif 000004
【図３】
2008233194.tif 000005
【図４】
2008233194.tif 000006
【図５】
2008233194.tif 000007
【図６】
2008233194.tif 000008
【図７】
2008233194.tif 000009
【図８】
2008233194.tif 000010
【図９】
2008233194.tif 000011
【図１０】
2008233194.tif 000012
【図１１】
2008233194.tif 000013